(57)【要約】【課題】エンジンの熱を有効に活用して暖房運転を可能とする車両用空調装置を提供することにある。【解決手段】制御部は、車両エンジンから流出される温水の温度ＴＷＥが、加熱器を流通する温水の目標温度ＴＷＯよりも低いときに、加熱器を流通する温水から空調用空気に放熱可能な放熱温度差がある場合は、車両エンジンを温水回路に接続状態として、補助熱源を作動させ、加熱器を流通する温水が空調用空気から吸熱する吸熱温度差がある場合は、車両エンジンを温水回路から非接続状態として、補助熱源を作動させる。これにより、車両エンジン１０による温水の熱を有効に活用して、空調用空気の加熱（暖房運転）を行うことができる。【選択図】図３
2020015382.tif 000002
【特許請求の範囲】
【請求項１】
車両エンジン（１０）との接続状態を切替え可能とする温水回路（１１）の温水が流通する加熱器（１１４）と、
前記温水を加熱する補助熱源（１２０）と、
前記加熱器を流通する前記温水の熱によって空調用空気の加熱制御を行う制御部（１３０）と、を備える車両用空調装置において、
前記制御部は、
前記車両エンジンから流出される前記温水の温度（ＴＷＥ）が、前記加熱器を流通する前記温水の目標温度（ＴＷＯ）よりも低いときに、
前記加熱器を流通する前記温水から前記空調用空気に放熱可能な放熱温度差がある場合は、前記車両エンジンを前記温水回路に接続状態として、前記補助熱源を作動させ、
前記加熱器を流通する前記温水が前記空調用空気から吸熱する吸熱温度差がある場合は、前記車両エンジンを前記温水回路から非接続状態として、前記補助熱源を作動させる車両用空調装置。
【請求項２】
前記制御部は、前記放熱温度差、および前記吸熱温度差を、前記車両エンジンから流出される前記温水の温度（ＴＷＥ）と、前記加熱器から流出される前記温水の温度（ＴＷＨｏｕｔ）との差から判定する請求項１に記載の車両用空調装置。
【請求項３】
前記加熱器から流出される前記温水の温度（ＴＷＨｏｕｔ）を検出する温度センサ（１１４ｂ）を備える請求項２に記載の車両用空調装置。
【請求項４】
前記制御部は、前記加熱器から流出される前記温水の温度（ＴＷＨｏｕｔ）を、前記加熱器に流入される前記温水の温度（ＴＷＨｉｎ）と、前記加熱器における水側熱量（Ｑｗ）および空気側熱量（Ｑａ）とから推定する請求項２に記載の車両用空調装置。
【発明の詳細な説明】
【技術分野】
【０００１】
本発明は、空調対象空間を暖房可能な車両用空調装置に関するものである。
【背景技術】
【０００２】
従来の車両用空調装置として、例えば、特許文献１に記載されたものが知られている。特許文献１の車両用空調装置では、エンジンの冷却水（温水）を熱源とするヒータコアと、ヒートポンプサイクルの冷媒を熱源とする室内凝縮器とが、空調ケース内に設けられている。そして、ヒータコア温度Ｔｃａ≧目標吹出し温度ＴＡＯ＋ΔＴ、となるときは、ヒータコアを用いた暖房（温水暖房）が行われ、ヒータコア温度Ｔｃａ＜目標吹出し温度ＴＡＯ＋ΔＴ、となるときは、温水暖房からヒートポンプを用いたヒートポンプ暖房に切替えられるようになっている。
【先行技術文献】
【特許文献】
【０００３】
【特許文献１】特開２０１７−１８９９９７号公報
【発明の概要】
【発明が解決しようとする課題】
【０００４】
しかしながら、ヒータコア温度Ｔｃａ＜目標吹出し温度ＴＡＯ＋ΔＴ、となる場合であっても、ヒータコアへ流入する温水の温度に対してヒータコアから流出する温水の温度が低下している（温度差がある）のであれば、温水は、空調用空気を加熱していることになるため、上記のような温度条件で温水暖房からヒートポンプ暖房への切替えが行われると、エンジンによる温水の熱が充分に活用されていないことになる。
【０００５】
本発明の目的は、上記問題に鑑み、エンジンの熱を有効に活用して暖房運転を可能とする車両用空調装置を提供することにある。
【課題を解決するための手段】
【０００６】
本発明は上記目的を達成するために、以下の技術的手段を採用する。
【０００７】
本発明では、車両エンジン（１０）との接続状態を切替え可能とする温水回路（１１）の温水が流通する加熱器（１１４）と、
温水を加熱する補助熱源（１２０）と、
加熱器を流通する温水の熱によって空調用空気の加熱制御を行う制御部（１３０）と、を備える車両用空調装置において、
制御部は、
車両エンジンから流出される温水の温度（ＴＷＥ）が、加熱器を流通する温水の目標温度（ＴＷＯ）よりも低いときに、
加熱器を流通する温水から空調用空気に放熱可能な放熱温度差がある場合は、車両エンジンを温水回路に接続状態として、補助熱源を作動させ、
加熱器を流通する温水が空調用空気から吸熱する吸熱温度差がある場合は、車両エンジンを温水回路から非接続状態として、補助熱源を作動させることを特徴としている。
【０００８】
この発明によれば、車両エンジン（１０）から流出される温水の温度（ＴＷＥ）が、加熱器（１１４）を流通する温水の目標温度（ＴＷＯ）より低くても、加熱器（１１４）を流通する温水から空調用空気に放熱可能な放熱温度差がある場合は、車両エンジン（１０）を温水回路（１１）に接続状態として、補助熱源（１２０）を作動させる。よって、車両エンジン（１０）による温水の熱を有効に活用して、空調用空気の加熱（暖房運転）を行うことができる。
【０００９】
尚、加熱器（１１４）を流通する温水が空調用空気から吸熱する吸熱温度差がある場合は、空調用空気を加熱することができない状況である。よって、車両エンジン（１０）を温水回路（１１）から非接続状態として、補助熱源（１２０）を作動させることで、空調用空気の温度を低下させてしまうような事態を排除して、補助熱源（１２０）によって適切な空調用空気の加熱が可能となる。
【００１０】
尚、上記各手段の括弧内の符号は、後述する実施形態記載の具体的手段との対応関係を示すものである。
【図面の簡単な説明】
【００１１】
【図１】車両用空調装置の全体構成を示す説明図である。
【図２】目標温度よりもエンジン流出温度が高い場合の、作動状態を示す説明図である。
【図３】エンジン流出温度が目標温度よりも低い場合の制御内容を示すフローチャートである。
【図４】エンジン流出温度が目標温度よりも低く、かつ、エンジン流出温度が加熱器流出温度よりも高い場合の作動状態を示す説明図である。
【図５】エンジン流出温度が目標温度よりも低く、かつ、エンジン流出温度よりも加熱器流出温度が高い場合の作動状態を示す説明図である。
【発明を実施するための形態】
【００１２】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１３】
（第１実施形態）
本発明の第１実施形態について図１〜図５を用いて説明する。第１実施形態の車両用空調装置１００は、例えば、ハイブリッド車両に適用されたものとなっている。
【００１４】
ハイブリッド車両は、ガソリン等の液体燃料を爆発燃焼させて動力を発生させる走行用内燃機関をなすエンジン１０、および走行補助用電動機機能および発電機機能を備える図示しない走行補助用の電動発電機を備えている。エンジン１０は、本発明の車両エンジンに対応する。ハイブリッド車両は、エンジン１０、および電動発電機の少なくとも一方を走行用駆動源として走行可能となっている。
【００１５】
エンジン１０には、エンジン温水回路１１が設けられている。エンジン温水回路１１は、本発明の温水回路に対応する。エンジン温水回路１１は、環状の流路であり、流路の途中にエンジン１０、および後述する空調ユニット１１０内に配置される加熱器１１４が接続されている。エンジン温水回路１１において、エンジン１０の温水流入側には、ウォータポンプ１２が設けられており、エンジン温水回路１１内（エンジン１０と加熱器１１４）を、温水が循環するようになっている。また、エンジン温水回路１１において、エンジン１０の温水流出側には、エンジン１０から流出される温水の温度（以下、エンジン流出温度）ＴＷＥを、検出する水温センサ１３が設けられている。
【００１６】
また、エンジン温水回路１１には、ウォータポンプ１２と加熱器１１４との間、および水温センサ１３と加熱器１１４との間を繋ぐバイパス流路１４が設けられている。バイパス流路１４の途中には、ウォータポンプ１４ａが設けられて、バイパス流路１４の一端側（エンジン１０の温水流入側）には、三方弁１４ｂが設けられている。そして、エンジン温水回路１１において、水温センサ１３とバイパス流路１４（接続部）との間には、流路を開閉する電磁弁１５が設けられている。
【００１７】
ウォータポンプ１２、１４ａ、三方弁１４ｂ、および電磁弁１５は、後述する制御部１３０によって制御されるようになっている。また、水温センサ１３によって検出された水温信号（エンジン流出温度ＴＷＥ）は、後述する制御部１３０に出力されるようになっている。
【００１８】
尚、エンジン１０には、ラジエータ回路１６が設けられており、サーモスタット１６ｃによる流路の開閉切替えによって、ウォータポンプ１２によってエンジン１０から流出される温水が、ラジエータ１６ａ側を流通する場合と、バイパス流路１６ｂ側を流通する場合とが形成されて、エンジン１０が適切に冷却されるようになっている。
【００１９】
車両用空調装置１００は、空調ユニット１１０、ヒートポンプサイクル１２０、および制御部１３０等を備えている。空調ユニット１１０、および制御部１３０は、車室内（インストルメントパネルの内側等）に配設され、また、ヒートポンプサイクル１２０は、主に車両のエンジンルーム内に配設されている。但し、ヒートポンプサイクル１２０を構成する蒸発器１２４は、車内の空調ユニット１１０内に組み込まれている。
【００２０】
空調ユニット１１０は、空調ケース１１１、内外気切替え部１１２、蒸発器１２４、エアミックスドア１１３、加熱器１１４、およびＰＴＣヒータ１１５等を有している。
【００２１】
空調ケース１１１は、空調用空気が流通する流路を形成するものであり、空調用空気の最上流側に内外気切替え部１１２が接続されると共に、流路内部に、蒸発器１２４、エアミックスドア１１３、加熱器１１４、およびＰＴＣヒータ１１５等を収容するケースとなっている。尚、空調ケース１１１の最下流側には、各種吹出し口（フェイス吹出し口、フット吹出し口、デフロスタ吹き出し口等）が設けられており、空調された空気が車室内に吹出されるようになっている。
【００２２】
内外気切替え部１１２は、切替えドア１１２ａ、および送風機１１２ｂ等を有しており、切替えドア１１２ａの回動によって、空調用空気として外気あるいは内気を選択して、選択した空気を送風機１１２ｂによって空調ケース１１１内に導入する部位となっている。切替えドア１１２ａの回動、および送風機１１２ｂの作動は、制御部１３０によって制御されるようになっている。
【００２３】
蒸発器１２４は、内外気切替え部１１２直後の流路（通風路）全体を横断するように配置されており、送風機１１２ｂから吹き出された空調用空気の全部が通過するようになっている。蒸発器１２４は、ヒートポンプサイクル１２０の運転時（冷房運転時）において、内部を流れる冷媒の吸熱作用によって、空調用空気を除湿したり冷却したりする冷却用熱交換器となっている。
【００２４】
エアミックスドア１１３は、アクチュエータ等によりそのドア本体位置が変化される（回動される）ことで、空調ケース１１１内の二分された通路である温風側通路および冷風側通路に対する開度を調整して、空調用空気の温度を調節するためのドアとなっている。エアミックスドア１１３の作動は、制御部１３０によって制御されるようになっている。
【００２５】
エアミックスドア１１３による温風側通路の開度は、温風側通路の横断方向の開口が開放される割合のことであり、０％から１００％の範囲で調整可能となっている。また、エアミックスドア１１３による冷風側通路の開度は、冷風側通路の横断方向の開口が開放される割合のことであり、温風側通路の開度０％〜１００％に対して、１００％から０％の範囲で調整可能となっている。
【００２６】
加熱器１１４は、空調ケース１１１内において、エアミックスドア１１３の下流側となる温風側通路に配置されている。加熱器１１４の内部には、エンジン温水回路１１の温水が流通するようになっており、加熱器１１４は、この温水の熱を利用して空調用空気を加熱する加熱用熱交換器となっている。
【００２７】
加熱器１１４の温水の流入側には、加熱器１１４に流入される温水の温度（以下、加熱器流入温度ＴＷＨｉｎ）を検出する入口水温センサ１１４ａが設けられている。また、加熱器１１４の温水の流出側には、加熱器１１４から流出される温水の温度（以下、加熱器流出温度ＴＷＨｏｕｔ）を検出する出口水温センサ１１４ｂが設けられている。出口水温センサ１１４ｂは、本発明の温度センサに対応する。各センサ１１４ａ、１１４ｂで検出された水温信号（加熱器流入温度ＴＷＨｉｎ、加熱器流出温度ＴＷＨｏｕｔ）は、制御部１３０に出力されるようになっている。
【００２８】
ＰＴＣ（positive temperature coefficient）ヒータ１１５は、少なくともその伝熱部分が温風側通路のみに位置し、加熱器１１４よりも更に空調用空気の下流側に配置されている。ＰＴＣヒータ１１５は、通電発熱素子部を有しており、冷房運転時や暖房運転時において、温風側通路を流れる空調用空気を補助的に加熱する加熱手段となっている。ＰＴＣヒータ１１５の作動は、制御部１３０によって制御されるようになっている。
【００２９】
ヒートポンプサイクル１２０は、サイクル内を流れる冷媒（例えば、Ｒ１３４ａ、ＣＯ２等）の状態変化を利用することにより、冷房運転、および暖房運転を行う熱サイクルとして機能すると共に、後述する水冷媒熱交換器１２２によって、エンジン温水回路１１の温水を加熱する機能を有している。ヒートポンプサイクル１２０は、本発明の補助熱源に対応している。
【００３０】
ヒートポンプサイクル１２０は、循環流路１２０ａ、分岐流路１２０ｂ、電動圧縮機１２１、水冷媒熱交換器１２２、室外熱交換器１２３、蒸発器１２４、アキュムレータ１２５、各種温度センサ１２６ａ〜１２６ｅ、圧力センサ１２７ａ、電気式膨張弁１２８ａ、１２８ｂ、逆止弁１２９ａ、電磁弁１２９ｂ、および圧力調整弁１２９ｃ等を備えている。
【００３１】
循環流路１２０ａは、冷媒が流通する環状の流路を形成するものであり、この循環流路１２０ａには、電動圧縮機１２１、水冷媒熱交換器１２２、室外熱交換器１２３、蒸発器１２４、およびアキュムレータ１２５が順に接続されている。また、分岐流路１２０ｂは、室外熱交換器１２３と蒸発器１２４との間から分岐して、アキュムレータ１２５の冷媒流入側に接続される流路となっている。
【００３２】
電動圧縮機１２１は、内蔵された電動機によって駆動され、冷媒を高温高圧に圧縮して吐出する流体機械となっている。電動圧縮機１２１は、制御部１３０によって回転数制御されて、冷媒吐出量が可変されるようになっている。
【００３３】
水冷媒熱交換器１２２は、電動圧縮機１２１の下流側に配置されて、電動圧縮機１２１から吐出される冷媒の熱によってエンジン温水回路１１の温水を加熱する熱交換器となっている。水冷媒熱交換器１２２の内部には、冷媒流路と温水流路とが設けられており、冷媒流路に冷媒が流通され、また、温水回路に温水が流通され、冷媒の熱が温水に移動されるようになっている。水冷媒熱交換器１２２の温水流路は、エンジン温水回路１１において、バイパス流路１４の下流側と、加熱器１１４の温水流入側との間に配置されている。
【００３４】
室外熱交換器１２３は、水冷媒熱交換器１２２の下流側で、例えばエンジンルーム内の前方に配置されて、外気と冷媒との間で熱交換を行う熱交換器となっている。室外熱交換器１２３は、室外ファンから強制的に送風を受けて後述する冷房運転時には凝縮器として機能し、暖房運転時には蒸発器として機能するようになっている。
【００３５】
蒸発器１２４は、室外熱交換器１２３の下流側に配置されて、上記したように、ヒートポンプサイクル１２０の運転時（冷房運転時）において、内部を流れる冷媒の吸熱作用によって、空調用空気を除湿したり冷却したりする冷却用熱交換器となっている。
【００３６】
アキュムレータ１２５は、蒸発器１２４の下流側に配置されて、ヒートポンプサイクル１２０内の過剰冷媒を一時蓄えると共に、蒸発器１２４、あるいは電磁弁１２９ｂから流出される冷媒の気液を分離して、分離した気相冷媒を電動圧縮機１２１に吸入させるようになっている。
【００３７】
温度センサ１２６ａ、１２６ｂ、１２６ｃ、１２６ｄ、１２６ｅは、図１中のヒートポンプサイクル１２０の各部位に配置されて、各部位の冷媒の温度を検出するセンサとなっている。各温度センサ１２６ａ〜１２６ｅで検出された温度信号は、制御部１３０に出力されるようになっている。
【００３８】
圧力センサ１２７ａは、電動圧縮機１２１から吐出される冷媒の圧力を検出するセンサとなっている。圧力センサ１２７ａで検出された圧力信号は、制御部１３０に出力されるようになっている。
【００３９】
電気式膨張弁１２８ａは、水冷媒熱交換器１２２と室外熱交換器１２３との間に配置されて、循環流路１２０ａの開度を調整する弁となっており、この弁開度は、制御部１３０によって制御されるようになっている。電気式膨張弁１２８ａは、冷房運転時には、開度が全開（循環流路１２０ａと同等）に調整され、また、暖房運転時には、所定の絞り開度に調整されて、冷媒を減圧膨張させる膨張弁として機能するようになっている。
【００４０】
電気式膨張弁１２８ｂは、室外熱交換器１２３と蒸発器１２４との間に配置されて、循環流路１２０ａの開度を調整する弁となっており、この弁開度は、制御部１３０によって制御されるようになっている。電気式膨張弁１２８ｂは、冷房運転時には、所定の絞り開度に調整されて、冷媒を減圧膨張させる膨張弁として機能し、また、暖房運転時には、開度が全閉に調整されるようになっている。
【００４１】
逆止弁１２９ａは、室外熱交換器１２３と電気式膨張弁１２８ｂとの間に配置されて、冷媒の流通方向を室外熱交換器１２３側から蒸発器１２４側に規制する弁となっている。
【００４２】
電磁弁１２９ｂは、分岐流路１２０ｂの途中に配置されて、分岐流路１２０ｂを開閉する弁となっており、この弁の開閉は、制御部１３０によって制御されるようになっている。
【００４３】
圧力調整弁１２９ｃは、蒸発器１２４の下流側に配置されて、蒸発器１２４の下流側（流出側）冷媒の圧力を調整する弁となっており、この圧力調整に係る作動は、制御部１３０によって制御されるようになっている。
【００４４】
制御部１３０は、車室内の空調運転を制御（空調用空気の加熱制御）する制御手段であり、入力回路、出力回路、およびマイクロコンピュータを備えている。入力回路は、車室内前面に設けられた操作パネル上の各種スイッチからの信号、内気温度を検出する内気センサ、外気温度を検出する外気センサ、日射量を検出する日射センサ、各種水温センサ１３、１１４ａ、１１４ｂ、各種温度センサ１２６ａ〜１２６ｅ、および圧力センサ１２７ａ等からのセンサ信号等の入力を行う。
【００４５】
また、出力回路は、ウォータポンプ１２、１４ａ、三方弁１４ｂ、電磁弁１５、内外気切替え部１１２、エアミックスドア１１３、ＰＴＣヒータ１１５、電動圧縮機１２１、電気式膨張弁１２８ａ、１２８ｂ、電磁弁１２９ｂ、および圧力調整弁１２９ｃ等に出力信号を送るようになっている。
【００４６】
また、マイクロコンピュータは、ＲＯＭ（読み込み専用記憶装置）、ＲＡＭ（読み込み書き込み可能記憶装置）等のメモリおよびＣＰＵ（中央演算装置）等から構成されており、操作パネル等から送信された運転命令に基づいた演算に使用される各種プログラムを保有している。
【００４７】
車両用空調装置１００の構成は、以上のようになっており、次に、上記構成に基づく車両用空調装置１００の作動について説明する。
【００４８】
１．冷房運転時（図１）
ヒートポンプサイクル１２０において、制御部１３０によって、電磁弁１２９ｂが閉じられ、電気式膨張弁１２８ａが全開状態にされ、また、電気式膨張弁１２８ｂが所定の絞り開度に調整される。冷房運転時には、電動圧縮機１２１が作動されて、冷媒は、電動圧縮機１２１→水冷媒熱交換器１２２→電気式膨張弁１２８ａ（絞りなし）→室外熱交換器１２３→逆止弁１２９ａ→電気式膨張弁１２８ｂ（絞りあり）→蒸発器１２４→圧力調整弁１２９ｃ→アキュムレータ１２５→電動圧縮機１２１の順に循環する。
【００４９】
電動圧縮機１２１で高温高圧に圧縮された冷媒の熱は、水冷媒熱交換器１２２で温水に放出され、また、室外熱交換器１２３で外気に放出される。更に、冷媒は、電気式膨張弁１２８ｂで低温低圧に減圧されて、蒸発器１２４で空調用空気から吸熱することで、空調用空気を冷却し、アキュムレータ１２５に至る。
【００５０】
エンジン温水回路１１においては、制御部１３０によって、三方弁１４ｂがバイパス流路側と接続されるように切替えられて、電磁弁１５が閉じられることによって、エンジン１０が、エンジン温水回路１１に対して非接続の状態（切り離し状態）となる。そして、ウォータポンプ１４ａが作動されることで、温水がバイパス流路１４と加熱器１１４との間を循環するエンジン非接続状態が形成される。
【００５１】
このとき、エンジン温水回路１１の温水には、エンジン１０の排熱は伝達されない状態となる。一方、水冷媒熱交換器１２２においては、冷媒の熱が温水に移動される。更に、エアミックスドア１１３は、加熱器１１４の配置される温風通路側の開度が０％（図１中の破線）となるように制御されて、加熱器１１４から空調用空気への実質的な放熱は阻止される。
【００５２】
２．暖房運転時
２−１  ＴＷＯ＜ＴＷＥのとき（図２）
暖房運転時には、ヒートポンプサイクル１２０において、制御部１３０によって、電磁弁１２９ｂが開かれ、電気式膨張弁１２８ｂが全閉状態にされ、また、電気式膨張弁１２８ａが所定の絞り開度に調整される。
【００５３】
暖房運転時において、加熱器１１４を流通する温水の目標温度ＴＷＯ（予め定められた目標温度）よりも、エンジン流出温度ＴＷＥが高い場合であると、温水の熱を利用した加熱器１１４での放熱（暖房）が充分可能であり、エンジン温水回路１１は、エンジン１０が接続状態となるように切替えられる。
【００５４】
つまり、エンジン温水回路１１においては、制御部１３０によって、三方弁１４ｂがエンジン１０側と接続されるように切替えられて、電磁弁１５が開かれることによって、エンジン１０が、エンジン温水回路１１に接続された状態となる。そして、ウォータポンプ１２が作動されることで、温水がエンジン１０と加熱器１１４との間を循環する。尚、ヒートポンプサイクル１２０における冷媒の熱によって、温水を加熱する必要はないため、ヒートポンプサイクル１２０は停止される。
【００５５】
エアミックスドア１１３は、加熱器１１４の配置される温風通路側の開度が１００％側（図２中の実線）となるように制御される。そして、温水の熱が加熱器１１４から空調用空気へ放出されることで、空調用空気が加熱されて、暖房運転が実行される。
【００５６】
２−２  ＴＷＯ＞ＴＷＥのとき（図３〜図５）
２−２−１  ＴＷＥ−ＴＷＨｏｕｔ＞０の場合（図３、図４）
制御部１３０は、図３に示す制御フローに基づいて、暖房運転を実行する。即ち、ステップＳ１００で、（エンジン流出温度ＴＷＥ−加熱器流出温度ＴＷＨｏｕｔ）＞０か否かを判定する。ステップＳ１００で肯定判定すると、加熱器１１４においては、エンジン流出温度ＴＷＥが目標温度ＴＷＯよりも低い条件であっても、流入側と流出側とで空調用空気に対して放熱可能とする温度差（本発明の放熱温度差）があり、この温度差によって、空調用空気を加熱する余地があると捉えることができる。
【００５７】
よって、制御部１３０は、ステップＳ１１０に進み、図４に示すように、エンジン温水回路１１におけるエンジン１０の接続状態を、上記２−１で説明した「エンジン接続状態」を継続して、上記２−１で説明した電磁弁１２９ｂ、電気式膨張弁１２８ａ、１２８ｂの設定条件でヒートポンプサイクル１２０を作動させる。
【００５８】
このとき、エンジン１０から流出される温水は、水冷媒熱交換器１２２で加熱され、温水の熱が加熱器１１４から空調用空気へ放出されることで、空調用空気が加熱されて、暖房運転が実行される。温水には、エンジン１０による排熱が付加されており、エンジン１０の排熱が暖房に有効に使用される。
【００５９】
２−２−２  ＴＷＥ−ＴＷＨｏｕｔ≦０の場合（図３、図５）
一方、制御部１３０は、図３に示す制御フローのステップＳ１００で、（エンジン流出温度ＴＷＥ−加熱器流出温度ＴＷＨｏｕｔ）≦０と判定すると、加熱器１１４においては、エンジン流出温度ＴＷＥが目標温度ＴＷＯよりも低い条件であって、流入側と流出側とで空調用空気から吸熱してしまうような温度差（本発明の吸熱温度差）があり、この条件では、エンジン１０の排熱を暖房に使用することができない状況にある。
【００６０】
よって、制御部１３０は、ステップＳ１２０に進み、図５に示すように、ヒートポンプサイクル１２０の設定条件を上記（エンジン流出温度ＴＷＥ−加熱器流出温度ＴＷＨｏｕｔ）＞０の場合と同様にして作動継続させて、エンジン温水回路１１におけるエンジン１０の接続状態を、上記１で説明した「エンジン非接続状態」に切替える。
【００６１】
このとき、エンジン温水回路１１における温水は、エンジン１０を流通せずに循環し、水冷媒熱交換器１２２で加熱され、温水の熱が加熱器１１４から空調用空気へ放出されることで、空調用空気が加熱されて、暖房運転が実行される。温水には、エンジン１０の影響が取り除かれて、水冷媒熱交換器１２２によって加熱された温水の熱が使用されることになる。
【００６２】
以上のように、本実施形態では、エンジン１０から流出される温水の温度（エンジン流出温度ＴＷＥ）が、加熱器１１４を流通する温水の温度（目標温度ＴＷＯ）より低くても、加熱器１１４を流通する温水から空調用空気に放熱可能な放熱温度差がある場合（２−２−１の場合）は、エンジン１０をエンジン温水回路１１に接続状態として、ヒートポンプサイクル１２０を作動させるようにしている。よって、エンジン１０による温水の熱を有効に活用して、空調用空気の加熱（暖房運転）を行うことができる。
【００６３】
尚、加熱器１１４を流通する温水が空調用空気から吸熱する吸熱温度差がある場合（２−２−２の場合）は、空調用空気を加熱することができない状況である。よって、エンジン１０をエンジン温水回路１１から非接続状態として、ヒートポンプサイクル１２０を作動させることで、空調用空気の温度を低下させてしまうような事態を排除して、ヒートポンプサイクル１２０によって適切な空調用空気の加熱が可能となる。
【００６４】
（第２実施形態）
上記第１実施形態では、加熱器流出温度ＴＷＨｏｕｔを検出するために出口水温センサ１１４ｂを用いるものとしが、本実施形態では、入口水温センサ１１４ａによる加熱器流入温度ＴＷＨｉｎと、加熱器１１４における水側熱量（Ｑｗ）および空気側熱量（Ｑａ）とから、加熱器流出温度ＴＷＨｏｕｔを推定して、出口水温センサ１１４ｂを不要としている。以下、加熱器流出温度ＴＷＨｏｕｔの推定の考え方（推定式）を説明する。
【００６５】
加熱器１１４における空気側熱量（空気側能力）をＱａとした場合、
【００６６】
（数式１）
Ｑａ＝ΔＴ・Ｖａ・η・ρａ・κａ
と表すことができる。尚、ΔＴは加熱器流入温度ＴＷＨｉｎ−加熱器吸入空気温度、Ｖａは送風機１１２ｂの風量、ηは温度効率、ρａは空気密度、κａは空気比熱である。
【００６７】
また、加熱器１１４における水側熱量（水側能力）をＱｗとした場合、
【００６８】
（数式２）
Ｑｗ＝Ｑａ・Ａ
と表すことができる。尚、Ａは補正係数である。
【００６９】
また、加熱器１１４における水側熱量（水側能力）Ｑｗは、
【００７０】
（数式３）
Ｑｗ＝（ＴＷＨｉｎ−ＴＷＨｏｕｔ）・Ｖｗ・ρｗ・κｗ
と表すことができる。尚、Ｖｗは温水流量、ρｗは水密度、κｗは水比熱である。
【００７１】
よって、数式１〜３より、
【００７２】
（数式４）
ＴＷＨｏｕｔ＝ＴＷＨｉｎ−Ｑｗ／Ｖｗ・ρｗ・κｗ
＝ＴＷＨｉｎ−（ΔＴ・Ｖａ・η・ρａ・κａ）・Ａ／（Ｖｗ・ρｗ・κｗ）
と表すことができる。
【００７３】
上記数式４において、ΔＴの加熱器吸入空気温度は、温度センサ１２６ｄの検出温度から推定可能である。Ｖａは、送風機１１２ｂの風量特性から推定可能である。η、ρａ、κａ、Ａは定数として設定可能、あるいは温度に対する特性テーブル等から推定可能である。また、Ｖｗは、ウォータポンプ１２、１４ａの流量特性から推定可能である。ρｗ、κｗは、定数として設定可能、あるいは温度に対する特性テーブル等から推定可能である。
【００７４】
よって、出口水温センサ１１４ｂを用いずとも、加熱器流出温度ＴＷＨｏｕｔを推定することが可能となる。
【００７５】
（その他の実施形態）
上記各実施形態では、温水を加熱するための補助熱源として、ヒートポンプサイクル１２０を使用するものとして説明したが、これに限定されることなく、例えば、電気式のヒータ等としてもよい。
【００７６】
また、放熱温度差と吸熱温度差とを、エンジン流出温度ＴＷＥと加熱器流出温度ＴＷＨｏｕｔとの差から判定するものとしたが、加熱器１１４内の温水温度と空調用空気の温度との差から判定するものとしてもよい。
【００７７】
また、暖房運転時におけるヒートポンプサイクル１２０の作動パターンとして、例えば除湿効果を持たせるために、冷房運転時の作動パターンを用いるようにしてもよい。
【００７８】
また、車両用空調装置１００は、ハイブリッド車両に搭載せるものとして説明したが、これに限定されるものではない。
【符号の説明】
【００７９】
１０    エンジン（車両エンジン）
１１    エンジン温水回路（温水回路）
１００  車両用空調装置
１１４  加熱器
１１４ｂ  出口水温センサ（温度センサ）
１２０  ヒートポンプサイクル（補助熱源）
１３０  制御部
【図１】
2020015382.tif 000003
【図２】
2020015382.tif 000004
【図３】
2020015382.tif 000005
【図４】
2020015382.tif 000006
【図５】
2020015382.tif 000007